(57)【要約】【課題】  全周波数帯の基地局検索を実行する時間を短くすることが可能な通信端末を提供する。【解決手段】  ＡＤ変換部１３は無線部１２からのアナログベースバンドデータをディジタルベースバンドデータに変換する。拡散部１４１はディジタルベースバンドデータを逆拡散してシンボルデータに変換し、ＲＳＣＰ測定部１４２はシンボルデータを電力に変換してＲＳＣＰを測定する。ＲＳＣＰ閾値判定部１４３は測定されたＲＳＣＰと予め設定された閾値とを比較し、その比較結果から基地局の有無を判断する。周波数設定部１４４は基地局の有無情報を用いて次の周波数帯を決定する。無線部１２のシンセサイザ１２２は周波数設定部１４４から送られてくる周波数データに応じてローカルデータを生成する。【選択図】      図１                                                  
2005086585.tif 000002
【特許請求の範囲】
【請求項１】
自端末の周辺の基地局の検索を行い、その検索で確認された基地局との通信を実施する通信装置であって、
前記基地局からのパイロットチャネルのＲＳＣＰ（Ｒｅｃｅｉｖｅｄ  Ｓｉｇｎａｌ  Ｃｏｄｅ  Ｐｏｗｅｒ）を測定する測定手段と、前記測定手段で測定されたＲＳＣＰを予め設定されたＲＳＣＰ閾値と比較して前記基地局の有無を判定する判定手段と、前記判定手段で前記基地局が存在すると判定された時に次に前記基地局を検索する周波数帯を絞る周波数設定手段とを有することを特徴とする通信装置。
【請求項２】
前記周波数設定手段は、前記判定手段で前記基地局が存在すると判定された時に次に検索する周波数帯を前回の周波数値＋５ＭＨｚとすることを特徴とする請求項１記載の通信装置。
【請求項３】
前記周波数設定手段は、前記判定手段で前記基地局が存在しないと判定された時に次に検索する周波数帯を前回の周波数値＋２００ＫＨｚとすることを特徴とする請求項１または請求項２記載の通信装置。
【請求項４】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）通信端末であることを特徴とする請求項１から請求項３のいずれか記載の通信装置。
【請求項５】
基地局が送信した信号を受信するアンテナと、前記アンテナから入力された無線データをアナログベースバンドデータに変換するミキサと、前記アナログベースバンドデータをディジタルベースバンドデータに変換する変換手段と、前記ディジタルベースバンドデータを逆拡散してシンボルデータに変換する逆拡散手段と、前記シンボルデータからＲＳＣＰ（Ｒｅｃｅｉｖｅｄ  Ｓｉｇｎａｌ  Ｃｏｄｅ  Ｐｏｗｅｒ）を測定する測定手段と、測定された前記ＲＳＣＰと予め設定された閾値とを比較して基地局の有無を判断する判定手段と、前記判定手段で判定された前記基地局の有無情報を用いて次の周波数帯を決定する周波数設定手段と、前記周波数設定手段で設定された周波数データに応じて前記ミキサで使用するローカルデータを生成するシンセサイザとを有することを特徴とする通信装置。
【請求項６】
前記周波数設定手段は、前記判定手段で前記基地局が存在すると判定された時に次に検索する周波数帯を前回の周波数値＋５ＭＨｚとすることを特徴とする請求項５記載の通信装置。
【請求項７】
前記周波数設定手段は、前記判定手段で前記基地局が存在しないと判定された時に次に検索する周波数帯を前回の周波数値＋２００ＫＨｚとすることを特徴とする請求項５または請求項６記載の通信装置。
【請求項８】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）通信端末であることを特徴とする請求項５から請求項７のいずれか記載の通信装置。
【請求項９】
自端末の周辺の基地局の検索を行い、その検索で確認された基地局との通信を実施する通信装置の基地局サーチ方法であって、前記基地局からのパイロットチャネルのＲＳＣＰ（Ｒｅｃｅｉｖｅｄ  Ｓｉｇｎａｌ  Ｃｏｄｅ  Ｐｏｗｅｒ）を測定するステップと、その測定されたＲＳＣＰを予め設定されたＲＳＣＰ閾値と比較して前記基地局の有無を判定するステップと、前記基地局が存在すると判定された時に次に前記基地局を検索する周波数帯を絞るステップとを有することを特徴とする基地局サーチ方法。
【請求項１０】
前記周波数帯を絞るステップは、前記基地局が存在すると判定された時に次に検索する周波数帯を前回の周波数値＋５ＭＨｚとすることを特徴とする請求項９記載の基地局サーチ方法。
【請求項１１】
前記周波数帯を絞るステップは、前記基地局が存在しないと判定された時に次に検索する周波数帯を前回の周波数値＋２００ＫＨｚとすることを特徴とする請求項９または請求項１０記載の基地局サーチ方法。
【請求項１２】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）通信端末に用いられることを特徴とする請求項９から請求項１１のいずれか記載の基地局サーチ方法。
【請求項１３】
自端末の周辺の基地局の検索を行い、その検索で確認された基地局との通信を実施する通信装置の基地局サーチ方法のプログラムであって、前記通信装置のコンピュータに、前記基地局からのパイロットチャネルのＲＳＣＰ（Ｒｅｃｅｉｖｅｄ  Ｓｉｇｎａｌ  Ｃｏｄｅ  Ｐｏｗｅｒ）を測定する処理と、その測定されたＲＳＣＰを予め設定されたＲＳＣＰ閾値と比較して前記基地局の有無を判定する処理と、前記基地局が存在すると判定された時に次に前記基地局を検索する周波数帯を絞る処理とを実行させるためのプログラム。
【発明の詳細な説明】
【技術分野】
【０００１】
本発明は通信装置及びそれに用いる基地局サーチ方法並びにそのプログラムに関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）通信端末での異周波数帯の基地局サーチ方法に関する。
【背景技術】
【０００２】
Ｗ−ＣＤＭＡ通信では、通信端末が電源ＯＮ時に周辺の基地局の検索を行い、基地局の存在を確認することができれば、その確認された基地局との通信を実施している。
【０００３】
この基地局の検索については、例えば３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）のＦＤＤ（Ｆｒｅｑｕｅｎｃｙ  Ｄｉｖｉｓｉｏｎ  Ｄｕｐｌｅｘ）方式の規格のように、６０ＭＨｚの帯域幅を２００ＫＨｚのステップ幅で基地局の検索を行うと、３００通りの周波数値で基地局の検索を行う必要がある。
【０００４】
この基地局の検索を効率的に行う方法としては、受信電力測定（電界強度測定）によって基地局が存在する可能性のある周波数を推定した上で、基地局の検索を行う方法が提案されている（例えば、特許文献１参照）。
【０００５】
【特許文献１】特開２００３−６０５５１号公報
【発明の開示】
【発明が解決しようとする課題】
【０００６】
上述した従来の基地局の検索方法では、３００通りの周波数値での基地局の検索の場合、検索時間が長くかかるため、移動機の待ち受け時間が短くなることや、基地局との通信までの時間が遅れる等の課題がある。
【０００７】
そこで、本発明の目的は上記の問題点を解消し、全周波数帯の基地局検索を実行する時間を短くすることができる通信装置及びそれに用いる基地局サーチ方法並びにそのプログラムを提供することにある。
【課題を解決するための手段】
【０００８】
本発明による通信装置は、自端末の周辺の基地局の検索を行い、その検索で確認された基地局との通信を実施する通信装置であって、
前記基地局からのパイロットチャネルのＲＳＣＰ（Ｒｅｃｅｉｖｅｄ  Ｓｉｇｎａｌ  Ｃｏｄｅ  Ｐｏｗｅｒ）を測定する測定手段と、前記測定手段で測定されたＲＳＣＰを予め設定されたＲＳＣＰ閾値と比較して前記基地局の有無を判定する判定手段と、前記判定手段で前記基地局が存在すると判定された時に次に前記基地局を検索する周波数帯を絞る周波数設定手段とを備えている。
【０００９】
本発明による基地局サーチ方法は、自端末の周辺の基地局の検索を行い、その検索で確認された基地局との通信を実施する通信装置の基地局サーチ方法であって、前記基地局からのパイロットチャネルのＲＳＣＰ（Ｒｅｃｅｉｖｅｄ  Ｓｉｇｎａｌ  Ｃｏｄｅ  Ｐｏｗｅｒ）を測定するステップと、その測定されたＲＳＣＰを予め設定されたＲＳＣＰ閾値と比較して前記基地局の有無を判定するステップと、前記基地局が存在すると判定された時に次に前記基地局を検索する周波数帯を絞るステップとを備えている。
【００１０】
本発明による基地局サーチ方法のプログラムは、自端末の周辺の基地局の検索を行い、その検索で確認された基地局との通信を実施する通信装置の基地局サーチ方法のプログラムであって、前記通信装置のコンピュータに、前記基地局からのパイロットチャネルのＲＳＣＰ（Ｒｅｃｅｉｖｅｄ  Ｓｉｇｎａｌ  Ｃｏｄｅ  Ｐｏｗｅｒ）を測定する処理と、その測定されたＲＳＣＰを予め設定されたＲＳＣＰ閾値と比較して前記基地局の有無を判定する処理と、前記基地局が存在すると判定された時に次に前記基地局を検索する周波数帯を絞る処理とを実行させている。
【００１１】
すなわち、本発明の基地局サーチ方法は、移動局が異周波数帯の基地局を検索する場合に用いる機能であり、移動局において、ある周波数帯で基地局の存在が判断できた場合に、次に検索する周波数値を＋５ＭＨｚにすることで、基地局を検索する周波数帯を絞ることが可能となり、高速に異周波数帯の基地局検索を実現可能となる。
【発明の効果】
【００１２】
本発明は、以下に述べるような構成及び動作とすることで、全周波数帯の基地局検索を実行する時間を短くすることができるという効果が得られる。
【発明を実施するための最良の形態】
【００１３】
次に、本発明の実施例について図面を参照して説明する。図１は本発明の一実施例による通信端末（移動局）の構成を示すブロック図である。図１において、通信端末１はアンテナ１１と、無線部１２と、ＡＤ（アナログ／ディジタル）変換部１３と、ディジタル処理部１４と、通信端末１で実行されるプログラム（コンピュータで実行可能なプログラム）を格納する記録媒体１５とから構成されている。
【００１４】
無線部１２はミキサ１２１と、シンセサイザ１２２とからなり、ディジタル処理部１４は逆拡散部１４１と、ＲＳＣＰ（Ｒｅｃｅｉｖｅｄ  Ｓｉｇｎａｌ  Ｃｏｄｅ  Ｐｏｗｅｒ）測定部１４２と、ＲＳＣＰ閾値判定部１４３と、周波数設定部１４４とからなっている。
【００１５】
アンテナ１１は図示せぬ基地局が送信した信号を受信し、その受信した無線データを無線部１２に入力する。無線部１２ではミキサ１２１がアンテナ１１からの無線データとシンセサイザ１２２からのローカルデータとをアナログベースバンドデータに変換する。
【００１６】
ＡＤ変換部１３は無線部１２からのアナログベースバンドデータをディジタルベースバンドデータに変換する。ディジタル処理部１４では逆拡散部１４１がＡＤ変換部１３からのディジタルベースバンドデータを逆拡散してシンボルデータに変換し、ＲＳＣＰ測定部１４２は逆拡散部１４１からのシンボルデータを電力に変換してＲＳＣＰを測定する。
【００１７】
ＲＳＣＰ閾値判定部１４３はＲＳＣＰ測定部１４２で測定されたＲＳＣＰと予め設定された閾値とを比較し、その比較結果から基地局の有無を判断する。周波数設定部１４４はＲＳＣＰ閾値判定部１４３で判定された基地局の有無情報を用いて次の周波数帯を決定する。無線部１２のシンセサイザ１２２は周波数設定部１４４から送られてくる周波数データに応じてローカルデータを生成する。
【００１８】
図２は本発明の一実施例における基地局の送信チャネルの構成を示す図である。この図２を参照して本発明の一実施例における基地局の送信チャネルの構成について説明する。
【００１９】
基地局の送信チャネルでは通信端末１に基地局情報を報知する報知データと同期チャネルとが時分割に送信される。また、基地局の送信チャネルには通信端末１が基地局とフレーム同期を確立するために送信されるパイロットチャネルがある。
【００２０】
まず、通信端末１は同期チャネルを使用してスロットタイミングの同期を確立し、その後、同期確立したスロットタイミングとパイロットチャネルとを使用してフレームタイミングの同期を確立する。
【００２１】
基地局の送信チャネルはフレーム単位で構成され、１フレームは１０ｍｓの周期である。この１フレーム（１０ｍｓ）は１５個のスロットで構成される。同期チャネルと報知情報データとは１スロットで時分割に構成され、パイロットチャネルは１フレーム全てで構成される。
【００２２】
通信端末１は同期確立したフレームタイミングを使用してパイロットチャネルの電力（ＲＳＣＰ）を算出し、その算出したＲＳＣＰを予め設定されたＲＳＣＰ閾値と比較し、基地局の有無を判断する。
【００２３】
図３は本発明の一実施例における基地局の送信周波数を示す図である。この図３を参照して本発明の一実施例におけるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）の基地局送信電力について説明する。
【００２４】
Ｗ−ＣＤＭＡ通信ではチップレート（例えば、５ＭＨｚ）の拡散コードによって拡散されているため、周波数Ａの基地局送信の電力分布は、図３に示すように、５ＭＨｚの帯域で拡散される。
【００２５】
この５ＭＨｚの周波数帯には他の基地局は存在することができないため、異周波数帯の基地局は、図３に示す周波数Ｂのように、周波数Ａの５ＭＨｚとは異なった周波数帯となる。
【００２６】
図４は本発明の一実施例による通信端末１の動作を示すフローチャートである。これら図１〜図４を参照して本発明の一実施例による通信端末１の動作について説明する。尚、図４に示す処理は通信端末１が記録媒体１５に格納されたプログラムを実行することで実現される。
【００２７】
まず、通信端末１は初期周波数値の設定を行う（図４ステップＳ１）。初期周波数値は検索する周波数の一番低い周波数から設定する。但し、初期周波数値については一番高い周波数から設定しても良いが、説明を簡単にするために、一番低い周波数から設定した場合について説明する。
【００２８】
通信端末１は上記で設定された周波数値を用いて基地局の検索（サーチ）を行う（図４ステップＳ２）。通信端末１は基地局が存在しなかった場合（図４ステップＳ３）、次に初期周波数値＋２００ＫＨｚの周波数で基地局の検索を行う（図４ステップＳ４，Ｓ６，Ｓ２）。
【００２９】
通信端末１はさらに基地局が存在しなかった場合（図４ステップＳ３）、前回周波数値＋２００ＫＨｚの周波数で基地局の検索を行う（図４ステップＳ４，Ｓ６，Ｓ２）。このように、通信端末１は基地局が存在しない場合、前回の周波数値＋２００ＫＨｚの周波数で基地局の検索を行っていく（図４ステップＳ２〜Ｓ６）。
【００３０】
次に、通信端末１は基地局が存在した場合（図４ステップＳ３）、基地局が存在した周波数＋２００ＫＨｚに他の基地局が存在しないため、前回の周波数値＋５ＭＨｚの周波数で他の基地局の検索を行う（図４ステップＳ５，Ｓ６，Ｓ２）。通信端末１は設定周波数値が一番高い周波数値に達すると、基地局の検索を終了する。
【００３１】
このように、本実施例では、基地局の存在が確認できた場合に、次の基地局の検索に使用する周波数値を、前回周波数値＋５ＭＨｚとすることで、全周波数帯の基地局検索を実行する時間を短くすることができる。
【図面の簡単な説明】
【００３２】
【図１】本発明の一実施例による通信端末の構成を示すブロック図である。
【図２】本発明の一実施例における基地局の送信チャネルの構成を示す図である。
【図３】本発明の一実施例における基地局の送信周波数を示す図である。
【図４】本発明の一実施例による通信端末の動作を示すフローチャートである。
【符号の説明】
【００３３】
１  通信端末
１１  アンテナ
１２  無線部
１３  ＡＤ変換部
１４  ディジタル処理部
１５  記録媒体
１２１  ミキサ
１２２  シンセサイザ
１４１  逆拡散部
１４２  ＲＳＣＰ測定部
１４３  ＲＳＣＰ閾値判定部
１４４  周波数設定部
【図１】
2005086585.tif 000003
【図２】
2005086585.tif 000004
【図３】
2005086585.tif 000005
【図４】
2005086585.tif 000006